(57)【特許請求の範囲】
【請求項１】
外サッシ枠と内サッシ枠とを備え、外サッシ枠は、外サッシ下枠に外サッシ障子の室内側に発生した結露水を室外に導く排水経路を有しており、内サッシ枠は、上面が略フラットな内サッシ下枠を有し、内サッシ下枠は障子走行ガイド溝を有し、内サッシ下枠の長手方向端部に排水部品を設けてあり、排水部品は、障子走行ガイド溝から外サッシ下枠の排水経路に通じる排水部品側排水経路を有していることを特徴とする二重サッシ。
【請求項２】
内サッシ下枠は、内サッシ下枠本体と、障子走行ガイド溝を有する内サッシ下枠補助材と、内サッシ下枠補助材の長手方向端部に設けてあり且つ内サッシ下枠補助材の障子走行ガイド溝と連続する排水部品側ガイド溝を有する排水部品とからなり、内サッシ下枠補助材は上面が略フラットであり、排水部品は、排水部品側ガイド溝にガイド溝内排水孔を有すると共に外サッシ下枠の排水経路に通じる排水部品側排水経路を有することを特徴とする請求項１記載の二重サッシ。
【発明の詳細な説明】
【技術分野】
【０００１】
本発明は、外サッシ枠と内サッシ枠とを有する二重サッシに関する。
【背景技術】
【０００２】
マンション等の集合住宅や一般の住宅等の窓において、遮音性や断熱性を向上するために、外サッシと内サッシを有する二重サッシが採用されることがある。従来の二重サッシは、外サッシ下枠と内サッシ下枠のどちらも、上面に障子案内用のレールが突出する突条レールタイプとなっており（例えば特許文献１参照。）、尚且つ内サッシの障子の室内側に発生する結露水を下枠の排水経路を通じて室外に排水するため、内サッシ下枠と外サッシ下枠の間に高低差を設けているため、下枠の掃除が非常にしづらかった。内サッシ下枠と外サッシ下枠の間の高低差をなくすと、内サッシ障子室内側に発生する結露水が内サッシ下枠内に溜まり室外に排水できない。
【０００３】
単体のサッシでは、下枠上面のレールをなくした、いわゆるノンレールサッシが普及している（例えば特許文献２参照）。特許文献２記載のものは、障子の室内側下部にスライド片５１ａ，６１ａを垂下して設け、フラットな下枠上面にスライド片を案内するスライド溝１１ａ，１１ｂを細いスリット状に形成し、スライド溝の下方にスライド溝よりも広幅の凹部１２ａ，１２ｂを形成し、さらに凹部の下方に中空部１３が形成してあり、障子室内側に発生した結露水はスライド溝から凹部内に流下し、凹部底面に取付けた排水装置９０より中空部内に流下し、中空部の底面を伝って室外側に流れ、下枠室外側面下部に形成した屋外排水口１７より室外に排水している。
従来のノンレールサッシの下枠は、結露水が下枠内部の凹部及び中空部内で滞留し、速やかに室外に排水されないおそれがある。従来の二重サッシで、内サッシ下枠をノンレールタイプにしたものはなかった。
【特許文献１】特開平１０−２０５２１８号公報
【特許文献２】特開２００２−２２７５４６号公報
【発明の開示】
【発明が解決しようとする課題】
【０００４】
本発明は以上に述べた実情に鑑み、下枠の清掃が容易に行えると共に、障子室内側に発生する結露水の排水性が良好な二重サッシの提供を目的とする。
【課題を解決するための手段】
【０００５】
上記の課題を達成するために請求項１記載の発明による二重サッシは、外サッシ枠と内サッシ枠とを備え、外サッシ枠は、外サッシ下枠に外サッシ障子の室内側に発生した結露水を室外に導く排水経路を有しており、内サッシ枠は、上面が略フラットな内サッシ下枠を有し、内サッシ下枠は障子走行ガイド溝を有し、内サッシ下枠の長手方向端部に排水部品を設けてあり、排水部品は、障子走行ガイド溝から外サッシ下枠の排水経路に通じる排水部品側排水経路を有していることを特徴とする。
【０００６】
請求項２記載の発明による二重サッシは、請求項１記載の発明の構成に加え、内サッシ下枠は、内サッシ下枠本体と、障子走行ガイド溝を有する内サッシ下枠補助材と、内サッシ下枠補助材の長手方向端部に設けてあり且つ内サッシ下枠補助材の障子走行ガイド溝と連続する排水部品側ガイド溝を有する排水部品とからなり、内サッシ下枠補助材は上面が略フラットであり、排水部品は、排水部品側ガイド溝にガイド溝内排水孔を有すると共に外サッシ下枠の排水経路に通じる排水部品側排水経路を有することを特徴とする。
なお、請求項１及び請求項２記載の発明による二重サッシにおいて外サッシ下枠は、上面に障子を案内するレールが突出する突条レールタイプと、上面が略フラットなノンレールタイプの、何れであってもよい。
【発明の効果】
【０００７】
請求項１記載の発明による二重サッシは、内サッシ下枠の上面が略フラットなので下枠の清掃が容易である。また、内サッシ下枠の長手方向端部に排水部品を設けてあり、排水部品は、障子走行ガイド溝から外サッシ下枠の排水経路に通じる排水部品側排水経路を有しているので、内サッシの障子室内側に発生した結露水は、障子走行ガイド溝と排水部品側排水経路を通じて速やかに外サッシ下枠の排水経路に流れ、外サッシ下枠の排水経路から室外に排水することができる。
【０００８】
請求項２記載の発明による二重サッシは、上記請求項１記載の発明の効果に加え、内サッシ下枠を内サッシ下枠本体と内サッシ下枠補助材と排水部品とに分割して構成したことにより、内サッシ下枠上面に切り欠きや孔を開けることなく、内サッシ下枠補助材と排水部品とで結露水の排水経路を容易に構成できる。
【発明を実施するための最良の形態】
【０００９】
以下、本発明の実施の形態を図面に基づいて説明する。図２は、本発明の第１実施形態の二重サッシの縦断面図であり、図３は同二重サッシの横断面図であり、図４は下枠を結露水の排水経路に沿って切断した縦断面図（図３のＡ−Ａ断面図）である。本二重サッシは、マンション等の鉄筋コンクリート造の建物の躯体開口部に、腰高窓として設置している。本二重サッシは、室内側に内サッシ１４を備え、室外側に外サッシ１５を備えている。内サッシ１４は、内サッシ上枠１６と内サッシ下枠６と内サッシ竪枠１７，１７を四方枠組みして内サッシ枠２を構成し、内サッシ枠２内に内障子１８ａと外障子１８ｂとを引違い状に備えている。内サッシ下枠６は、上面が略フラットなノンレールタイプとなっている。外サッシ１５は、外サッシ上枠１９と外サッシ下枠３と外サッシ竪枠２０，２０を四方枠組みして外サッシ枠１を構成し、外サッシ枠１内に内障子４ａと外障子４ｂを引違い状に備えている。外サッシ下枠３は、内外障子４ａ，４ｂをそれぞれ案内するレール２１ａ，２１ｂを上下に段違い状に設けたいわゆる階段タイプとなっている。内サッシ枠２と外サッシ枠１は、上枠１６，１９同士、下枠６，３同士、竪枠１７，２０同士を、それぞれシール材２２を挟んでネジ２３で連結し、一体化してある。
【００１０】
内サッシ下枠６は、図１（ａ）に示すように、内サッシ下枠本体１０と、内サッシ下枠本体１０の上面に取付ける内サッシ上枠補助材１１と、内サッシ下枠本体１０の上面の、内サッシ下枠補助材１１の室内側から見て左側の端部に取付ける排水部品８とで構成してある。内サッシ下枠６の上下寸法は約３０ｍｍとなっている。
内サッシ下枠本体１０は、室内側壁１０ａと室外側壁１０ｂと見込み壁１０ｃとで断面略Ｈ字状に形成してあり、見込み壁１０ｃは室外側に向かって若干下向きに傾斜している。室外側壁１０ｂは、上下２箇所にシール材取付部１０ｄを設けてあり、シール材取付部１０ｄにシール材２２ａ，２２ｂを取付けて、外サッシ下枠３の室内側壁３ａとの間の隙間を塞いでいる。下側のシール材２２ｂの上部には、別体のシール材４５がさらに取付けてある。室外側壁１０ｂは、排水部品８を取付ける側の見込み壁１０ｃの上側の位置に、結露水排水用の開口部２４が矩形の窓状に設けてある。
【００１１】
内サッシ下枠補助材１１は、内外障子１８ａ，１８ｂの下框の室内側に垂下して設けたスライド片２５ａ，２５ｂをそれぞれ案内する障子走行ガイド溝７ａ，７ｂが、上面壁１１ａと一体に、スライド片２５ａ，２５ｂの両側面及び先端から１〜２ｍｍ程度の隙間が開くように、一定の溝幅の断面略Ｕ字状に設けてある。各障子走行ガイド溝７ａ，７ｂの室外側には、上面壁１１ａを断面円弧状に僅かに盛り上がらせて、各障子の戸車２６ａ，２６ｂの走行部２７ａ，２７ｂが長手方向形成してある。さらに、各障子走行ガイド溝７ａ，７ｂの室外側下部には、垂下片２８ａ，２８ｂが障子走行ガイド溝１７ａ，１７ｂと一体に形成してあり、垂下片２８ａ，２８ｂを下枠本体１０の見込み壁１０ｃ上面に当接させて、障子１８ａ，１８ｂの重みで上面壁１１ａが変形するのを防いでいる。内サッシ下枠補助材１１は、室内側と室外側の縁部に係止片１１ｂ，１１ｃが垂下して設けてあり、両係止片１１ｂ，１１ｃを内サッシ下枠本体１０の室内側壁１０ａと室外側壁１０ｂの間に嵌め込むことで、内サッシ下枠本体１０の上面に着脱自在に取付けている。なお、内サッシ下枠本体１０と内サッシ下枠補助材１１は、アルミニウム合金の押出形材で形成してある。
【００１２】
排水部品８は、硬質樹脂等で一体に形成したものであり、上面が内サッシ下枠補助材１１の上面と面一状としてあり、室内側から見て右側の側面に形成した接続部８ａを内サッシ下枠補助材１１の上面壁１１ａの裏側に側方から差し込んで、内サッシ下枠補助材１１の室内側から見て左側の端部に継ぎ足すような形で設けてあり、左側面８ｂが竪枠１７の内周側面に当接している。排水部品８は、上面側に排水部品側ガイド溝１２ａ，１２ｂを内サッシ下枠補助材１１の障子走行ガイド溝７ａ，７ｂと連続して有し、その下方に排水部品側ガイド溝１２ａ，１２ｂに交差する形で、樋状部４４が室内外方向に溝状に設けてある。排水部品側ガイド溝１２ａ，１２ｂと樋状部４４の交差部に、ガイド溝内排水孔１３ａ，１３ｂを有しており、排水部品側ガイド溝１２ａ，１２ｂと樋状部４４とで排水部品側排水経路９を形成している。樋状部４４は、図４に示すように、室外側に向かって下向きに傾斜しており、樋状部４４先端の排水部品側排水経路９の出口は、内サッシ下枠本体１０の室外側壁１０ｂに形成した開口部２４に通じている。排水部品８の上面には、図３に示すように、内障子１８ａ用のストッパー２９が取付けられ、排水部品８の外障子１８ｂより室内側の部分がストッパー２９で隠れている。そのため、内障子用の排水部品側ガイド溝１２ａと、ガイド溝内排水孔１３ａとがストッパー２９で隠れており、排水部品側排水経路９も途中までストッパー２９で隠れている。
【００１３】
外サッシ下枠３は、図４に示すように、内外障子４ａ，４ｂをそれぞれ案内するレール２１ａ，２１ｂの下部に排水口３１ａ，３１ｂを形成して排水経路５を設けてあり、外サッシ障子４ａ，４ｂの室内側に発生した結露水３２は、排水経路５を通じて室外に排水される。外サッシ下枠３の室内側壁３ａには、内サッシ下枠本体１０の室外側壁１０ｂに形成した開口部２４の室外側の位置に開口部３０を設けてあり、両開口部２４，３０の下縁同士の間を、下側のシール材２２ｂの上部に取付けたシール材４５で連続させている。外サッシ下枠室内側壁３ａの開口部３０は、内障子用のレール２１ａが突出している室内寄りの下枠上面の上方に位置しており、内サッシ下枠６の排水部品側排水経路９と外サッシ下枠３の排水経路５とが、開口部２４，３０とシール材４５を介して連続している。なお、排水部品８の樋状部４４の先端を内サッシ下枠室外側壁の開口部２４より室外側に突出させ、樋状部４４を外サッシ下枠室内側壁の開口部３０までのばしてもよい。
【００１４】
本二重サッシは以上のように構成され、内サッシ下枠６の上面が略フラットなので、下枠の掃除がしやすく、且つ意匠的にすっきりした印象を与えるものとなっている。さらに、内サッシ下枠６の障子走行ガイド溝７ａ，７ｂが一定の溝幅で断面略Ｕ字状に形成してあるので、障子走行ガイド溝７ａ，７ｂ内にゴミが入っても、溝内を容易に掃除できる。
内サッシ障子１８ａ，１８ｂの室内側に結露水３２が発生すると、結露水３２は障子のスライド片２５ａ，２５ｂより障子走行ガイド溝７ａ，７ｂ内に流下し、図３と図４に示すように、障子走行ガイド溝７ａ，７ｂから排水部品側ガイド溝１２ａ，１２ｂに流れ、ガイド溝内排水孔１３ａ，１３ｂから樋状部４４を通じて室外側に流れ、内サッシ下枠本体１０の室外側壁１０ｂと外サッシ下枠３の室内側壁３ａに形成した開口部２４，３０を通じて外サッシ下枠３の排水経路５へと流れ、外サッシ下枠の排水経路５を通じて室外に排水される。
【００１５】
本二重サッシは、内サッシ下枠６を、内サッシ下枠本体１０と内サッシ下枠補助材１１と排水部品８とに分割して構成したことで、内サッシ下枠６上面を切り欠いたり孔を開けたりすることなく、図１（ｂ）に示すように、内サッシ下枠６の竪枠１７とのコーナー部上面側に、結露水の排水経路を部品同士の組み合わせにより容易に構成できる。排水部品８は、下枠６の長手方向端部の竪枠１７とのコーナー部に、内サッシ下枠補助材１１と面一状に設けてあり、しかも室内側から見たときに内障子のストッパー２９によりほとんど隠れるため、排水部品８が目立たない。排水部品８に排水部品側排水経路９が排水部品側ガイド溝１２ａ，１２ｂと樋状部４４とで溝状に形成してあることで、排水部品側排水経路９内にゴミが入ったときに、溝内を掃除して排水性を良好に維持するのが容易である。
内サッシの内外障子１８ａ，１８ｂと外サッシの内障子４ａは、上方に持ち上げた状態で障子下部を室内側に振ることで容易に室内側に外すことができる。外サッシの外障子４ｂは、上方に持ち上げた状態で障子下部をいったん室外側に振って障子上部を上枠１９から室内側に外すことで、室内側に比較的容易に外すことができる。
【００１６】
なお、内サッシ下枠補助材１１の障子走行ガイド溝７ａ，７ｂにガイド溝内排水孔１３ａ，１３ｂを形成すると共に、垂下片２８ａ，２８ｂの先端に切り欠きを形成し、結露水３２が見込み壁１０ｃの上面を伝って外サッシ下枠の排水経路５まで流れるようにすれば、排水部品８を設けることなく内サッシ障子１８ａ，１８ｂ室内側の結露水を室外に排水することが可能である。また、このように内サッシ下枠補助材１１の障子走行ガイド溝７ａ，７ｂにガイド溝内排水孔１３ａ，１３ｂを形成した上で、内サッシ下枠補助材１１の裏面または見込み壁１０ｃの上面に樋状の排水部品を取付け、結露水がよりスムーズに室外側に流れるようにすることもできる。
【００１７】
図５と図６は、本発明の二重サッシの第２実施形態であって、外サッシ下枠３を上面がフラットなノンレールタイプにした場合の実施形態を示している。外サッシ下枠３と、それに対応した外サッシ障子４ａ，４ｂ下部の構造以外は、第１実施形態のものと同様である。本二重サッシは、マンション等のベランダに面した躯体開口部に、掃き出し窓として設けてあり、内サッシ下枠６の上面３５と外サッシ下枠３の上面３４とが段差がなく連続しており、室内側の床面３６から室外側のベランダの床面３７までが略水平で段差の無い、ユニバーサルデザインに対応したものとなっている。
【００１８】
外サッシ下枠３は、図６に示すように、外サッシ下枠本体３８の上面に、室内外方向に分割して形成した二つの外サッシ下枠補助材３９ａ，３９ｂを取付けて、内外障子４ａ，４ｂの下框室内側に垂下して設けた各スライド片４０ａ，４０ｂを案内する障子走行ガイド溝４１ａ，４１ｂを形成してある。障子走行ガイド溝４１ａ，４１ｂは、入口側が狭く、底部が広い形状となっており、ガイド溝入口側の室内側壁に、スライド片４０ａ，４０ｂの室内側面に当接するタイト材４２を取付けてある。外サッシ下枠３の内部には、外サッシの障子４ａ，４ｂの室内側に発生した結露水３２を、障子走行ガイド溝４１ａ，４１ｂと外サッシ下枠本体３８の中空部３８ａの底面を通じて室外に排水する排水経路５を有している。図中の符号４３ａ，４３ｂは、排水経路５の途中に設けた逆止弁である。外サッシ下枠の室内側壁３ａには、内サッシ下枠本体１０の室外側壁１０ｂに形成した開口部２４の室外側の位置に開口部３０を設けてある。開口部３０は、内障子用の障子走行ガイド溝４１ａの底面より上方に位置しており、内サッシ下枠６の排水部品側排水経路９と外サッシ下枠３の排水経路５とが連続している。
【００１９】
本実施形態の二重サッシは、内サッシ下枠６だけでなく外サッシ下枠３もノンレールタイプとし、下枠上面をフルフラットにしたので、室内と室外を行き来する際に下枠につまずいて転ぶことがなく、車椅子でも容易に行き来できる。また、下枠上面をフルフラットにしたことで、下枠の掃除のしやすさがさらに向上し、また全ての障子４ａ，４ｂ，１８ａ，１８ｂを室内側に容易に外すことができる。しかも、内サッシの障子１８ａ，１８ｂの室内側に発生した結露水３２を、内サッシ下枠６の排水部品側排水経路９と外サッシ下枠３の排水経路５を通じて室外に排水できる。
【００２０】
本発明は、以上に述べた実施形態に限定されない。内サッシ下枠６は、例えば、図７に示すように、内サッシ下枠本体１０と内サッシ下枠補助材１１とに分割することなく一体で形成し、その上面側の長手方向端部に切り欠き４４を設けて排水部品８を取付けるようにしてもよい。排水部品８は、結露水３２を内サッシ下枠の障子走行ガイド溝７ａ，７ｂから外サッシ下枠の排水経路５まで流せるものであればよく、その形状や内サッシ下枠６への取付け方は適宜変更できる。内サッシ下枠の障子走行ガイド溝７ａ，７ｂは、底部が入口側よりも幅広の形状にすることもできる。第１実施形態の二重サッシは、掃き出し窓に用いることもできる。
【図面の簡単な説明】
【００２１】
【図１】（ａ）は、内サッシ下枠を内サッシ下枠本体と内サッシ下枠補助材と排水部品とに分解した状態で示す斜視図であり、（ｂ）はこれらを組立てた状態の斜視図である。
【図２】本発明の二重サッシの第１実施形態を示す縦断面図である。
【図３】本発明の二重サッシの第１実施形態を示す横断面図である。
【図４】下枠を排水経路に沿って切断した縦断面図（図３のＡ−Ａ断面図）である。
【図５】本発明の二重サッシの第２実施形態を示す横断面図である。
【図６】図５のＡ−Ａ断面図である。
【図７】内サッシ下枠の他の実施形態を示す内サッシ下枠の分解斜視図である。
【符号の説明】
【００２２】
１  外サッシ枠
２  内サッシ枠
３  外サッシ下枠
４ａ，４ｂ  外サッシ障子
５  外サッシ下枠の排水経路
６  内サッシ下枠
７ａ，７ｂ  障子走行ガイド溝
８  排水部品
９  排水部品側排水経路
１０  内サッシ下枠本体
１１  内サッシ下枠補助材
１２ａ，１２ｂ  排水部品側ガイド溝
１３ａ，１３ｂ  ガイド溝内排水孔
１４  内サッシ
１５  外サッシ
３２  結露水
【図１】
0004572872.tif 000002
【図２】
0004572872.tif 000003
【図３】
0004572872.tif 000004
【図４】
0004572872.tif 000005
【図５】
0004572872.tif 000006
【図６】
0004572872.tif 000007
【図７】
0004572872.tif 000008